(57)【要約】      （修正有）【課題】水生動物の捕食行動を活発化させるための仕掛の提供。【解決手段】ハリス１１には、魚を模したルアー部１５と、疑似餌１７が取り付けられた鈎部１４とが取り付けられている。ルアー部１５には貫通孔２２が設けられており、当該貫通孔２２にはハリス１１が挿通されている。ルアー部１５は、自身が擬態する魚の頭部２１ｄが鈎部１４側となるように、鈎部１４に対する向きが設定されている。水中においてルアー部１５とハリス１１とがハリス１１の長さ方向に相対移動することで、ルアー部１５と鈎部１４とが接近し、これによって、水中に生息する魚に対し、他の魚に餌を取られると錯覚させる。【選択図】図１
2019047734.tif 000002
【特許請求の範囲】
【請求項１】
水生動物を模したルアー部と、疑似餌が取り付けられた又は餌を取付可能な鈎部とが釣り糸に取り付けられてなる釣り用仕掛けであって、
前記ルアー部及び前記鈎部の一方に、前記釣り糸を通すことが可能な通し孔が設けられており、
前記釣り糸が前記通し孔に対し前記釣り糸の長さ方向へ相対移動することにより、前記ルアー部と前記鈎部との間の前記釣り糸の長さが変化するものであり、
前記ルアー部は、前記水生動物が捕食動作を行うときの進行方向が前記鈎部側となるように、前記鈎部に対する向きが設定されていることを特徴とする釣り用仕掛け。
【請求項２】
前記ルアー部に前記通し孔が設けられているとともに、前記鈎部が前記釣り糸に固定されており、
前記ルアー部が前記鈎部に対して前記釣り糸の長さ方向における基端側に配置されている、請求項１に記載の釣り用仕掛け。
【請求項３】
前記通し孔は、前記ルアー部を当該ルアー部の長さ方向に貫通する貫通孔である、請求項２に記載の釣り用仕掛け。
【請求項４】
前記ルアー部は、前記疑似餌が取り付けられた前記鈎部と形状及び比重の少なくとも一方が異なることで、前記鈎部よりも水に沈みやすい構成となっている、請求項３に記載の釣り用仕掛け。
【請求項５】
水生動物を模したルアー部と、疑似餌が取り付けられた又は餌を取付可能な鈎部とが釣り糸に取り付けられてなる仕掛けを用いて行う釣り方法であって、
前記ルアー部及び前記鈎部の一方に設けられた通し孔に前記釣り糸を通すことで、前記釣り糸を前記通し孔に対し前記釣り糸の長さ方向へ相対移動可能とし、且つ、前記水生動物が捕食動作を行うときの進行方向が前記鈎部側となるように、前記鈎部に対する前記ルアー部の向きを設定して前記仕掛けを構成し、
前記仕掛けを着水させた後、前記釣り糸を前記通し孔に対し相対移動させて、前記ルアー部と前記鈎部との間の前記釣り糸の長さを短くさせることにより、前記ルアー部と前記鈎部とを接近させることを特徴とする釣り方法。
【請求項６】
前記ルアー部に設けられた前記通し孔に前記釣り糸を通すとともに、前記ルアー部を前記鈎部よりも水に沈みやすくし、且つ、前記ルアー部を前記鈎部に対して前記釣り糸の長さ方向における基端側に配置するように、前記仕掛けを構成し、
前記ルアー部及び前記鈎部を水中に位置させた後、前記釣り糸を引き上げることで、前記ルアー部を水中において上昇させ、前記鈎部に向けて相対移動させる、請求項５に記載の釣り方法。
【発明の詳細な説明】
【技術分野】
【０００１】
本発明は、ルアーを用いた釣り用仕掛け及び釣り方法に関する。
【背景技術】
【０００２】
従来、小魚等に似せたルアーを疑似餌として用いる釣り用仕掛けが知られている（例えば、特許文献１参照）。このような仕掛けに用いられるルアーでは、その腹部や尾部にフックアイを介して鈎（釣り針）が取り付けられているとともに、その頭部には、釣り糸を結び付けるためのラインアイが設けられている。
【０００３】
魚釣りに際しては、釣り糸と連結されたルアーを川や海等に投げ入れた後、ロッド操作やリール操作により水中でルアーを動かす。その結果、水中に生息する魚がルアーを餌と錯覚し、ルアーに食い付く。これに合わせてルアーを引くことで、鈎を魚の口内に突き刺し、魚を釣り上げる。
【先行技術文献】
【特許文献】
【０００４】
【特許文献１】特開平８−２９８８９７号公報
【発明の概要】
【発明が解決しようとする課題】
【０００５】
しかしながら、従来の釣り用仕掛けでは、なかなか簡単には魚が釣れず、魚の捕食行動を活発化させる点で改善の余地があった。なお、このような課題は、魚釣りに限られず、イカ等の魚以外の水生動物を釣る場合にも同様に生じ得る。
【０００６】
本発明は、上記事情に鑑みてなされたものであり、新たな発想のもと、水生動物の捕食行動を活発化させることが可能な釣り用仕掛け及び釣り方法を提供することを目的とする。
【課題を解決するための手段】
【０００７】
上記目的を達成すべく、本発明者は、他の水生動物に先に餌を取られそうになると、それを阻止しようとして積極的に捕食する水生動物の習性に着眼し、単にルアーを餌に見せるだけの従来の仕掛けとは全く異なる発想により、本発明をなすに至った。すなわち、本発明の釣り用仕掛けは、
水生動物を模したルアー部と、疑似餌が取り付けられた又は餌を取付可能な鈎部とが釣り糸に取り付けられてなる釣り用仕掛けであって、
前記ルアー部及び前記鈎部の一方に、前記釣り糸を通すことが可能な通し孔が設けられており、
前記釣り糸が前記通し孔に対し前記釣り糸の長さ方向へ相対移動することにより、前記ルアー部と前記鈎部との間の前記釣り糸の長さが変化するものであり、
前記ルアー部は、前記水生動物が捕食動作を行うときの進行方向が前記鈎部側となるように、前記鈎部に対する向きが設定されていることを特徴とする。
【０００８】
上記構成によれば、ルアー部と鈎部との間の釣り糸の長さを変化させることで、ルアー部と鈎部とを接近させ、ルアー部が擬態する水生動物が、鈎部の疑似餌又は餌を捕食するかの如く、釣り用仕掛けを動作させる。これにより、水中に生息する水生動物に対し、他の水生動物に餌を取られると錯覚させることができる。その結果、水生動物の捕食本能が刺激され、捕食行動を活発化させることが可能になる。
【０００９】
また、本発明の釣り方法は、
水生動物を模したルアー部と、疑似餌が取り付けられた又は餌を取付可能な鈎部とが釣り糸に取り付けられてなる仕掛けを用いて行う釣り方法であって、
前記ルアー部及び前記鈎部の一方に設けられた通し孔に前記釣り糸を通すことで、前記釣り糸を前記通し孔に対し前記釣り糸の長さ方向へ相対移動可能とし、且つ、前記水生動物が捕食動作を行うときの進行方向が前記鈎部側となるように、前記鈎部に対する前記ルアー部の向きを設定して前記仕掛けを構成し、
前記仕掛けを着水させた後、前記釣り糸を前記通し孔に対し相対移動させて、前記ルアー部と前記鈎部との間の前記釣り糸の長さを短くさせることにより、前記ルアー部と前記鈎部とを接近させることを特徴とする。
【発明の効果】
【００１０】
本発明によれば、水生動物の捕食行動を活発化し、食いを促進することが可能になる。
【図面の簡単な説明】
【００１１】
【図１】（ａ）は釣り用仕掛けの全体構成図、（ｂ）はルアー部の縦断面図。
【図２】釣りを行う場合の釣り用仕掛けの動作を説明するための図。
【図３】釣りを行う場合の釣り用仕掛けの動作を説明するための図。
【図４】（ａ）は第２の実施の形態に係る釣り用仕掛けの全体構成図、（ｂ）はルアー部の縦断面図。
【図５】釣りを行う場合の釣り用仕掛けの動作を説明するための図。
【図６】（ａ）は第３の実施の形態に係る釣り用仕掛けの全体構成図、（ｂ）は鈎部の拡大図。
【発明を実施するための形態】
【００１２】
＜第１の実施の形態＞
以下、本発明を具体化した一実施の形態を図面に基づいて説明する。図１の（ａ）は釣り用仕掛け１０の全体構成図、（ｂ）はルアー部１５の縦断面図である。
【００１３】
図１（ａ）に示すように、本実施の形態に係る釣り用仕掛け１０は、釣り糸としてのハリス１１と、ハリス１１を道糸１２と連結するための連結金具（例えばスナップ付きスイベル）１３と、ハリス１１の先端部に取り付けられた鈎部１４と、鈎部１４と連結金具１３との間に配置されたルアー部１５とを備えている。
【００１４】
鈎部１４は、金属製の鈎（釣り針）１６と、シリコン又はゴム製の疑似餌１７とを備えて構成されている。鈎１６は、略Ｊ字に湾曲形成された魚釣り用の針であり、例えば鉄やステンレス等により形成されている。疑似餌１７は、例えば複数の紐状部材からなる、いわゆるスカートによって構成されており、ゴム製のプラグ（取付具）１８を介してハリス１１に取り付けられている。なお、疑似餌１７は、スカートに限定されるものではなく、ミミズを模したワームなどスカート以外のものとしてもよい。
【００１５】
ルアー部１５は、魚を模して形成されたルアー本体２１を備えている。ルアー本体２１は、金属製のハードルアーであり、例えば鉛やタングステン等により形成されている。ルアー本体２１は、全体として魚の外形と略同様の外形をなしており、体長方向に延びる略紡錘形状を有している。ルアー本体２１においてその長さ方向の一端部には、目、口及びエラを模した目部２１ａ、口部２１ｂ及びエラ部２１ｃがそれぞれ設けられ、頭部２１ｄが形成されている。また、ルアー本体２１の表面全体には、魚体に似せた着色（塗装）が施されている。
【００１６】
ここで、本実施の形態に係る釣り用仕掛け１０は、単にルアーを餌に見せるだけの従来の仕掛けとは発想が全く異なり、他の魚に先に餌を取られそうになると、それを阻止しようとして積極的に捕食する魚の習性を利用したものとなっている。具体的には、水中においてルアー本体２１を鈎部１４に接近させることで、水中に生息する魚（釣りの対象魚）に対し、ルアー本体２１による疑似魚が、鈎部１４の疑似餌１７を捕食するように錯覚させる。これにより、対象魚の捕食本能を刺激し、疑似餌１７（鈎部１４）への食い付きを誘う。つまり、本実施の形態においてルアー部１５（ルアー本体２１）は、対象魚から見て餌ではなく、餌を奪い合うライバル魚としての役割を果たすものとなっている。以下、このような機能を実現するための構成について説明する。
【００１７】
図１（ｂ）に示すように、ルアー本体２１には、ルアー本体２１を長さ方向に貫通する貫通孔２２が形成されている。貫通孔２２は、円柱状をなしており、その径はハリス１１の外径よりも大きくなっている。貫通孔２２は側面視において直線状に延びており、ルアー本体２１の前端部と後端部とのそれぞれに開口している。
【００１８】
貫通孔２２にはハリス１１が挿通されている。貫通孔２２に通されたハリス１１とルアー本体２１とは固定されておらず、両者はハリス１１の長さ方向に相対移動が可能となっている。つまり、ルアー本体２１（ルアー部１５）は、ハリス１１との相対移動が可能な状態でハリス１１に取り付けられている。貫通孔２２の周面（壁面）は凹凸のない滑らかな平面によって構成されており、ルアー本体２１とハリス１１との相対移動が円滑化されている。
【００１９】
本実施の形態においてルアー本体２１は、頭部２１ｄを鈎部１４側に向けるようにして配置されている。換言すれば、ルアー本体２１は、その擬態対象となる魚が捕食動作を行うとしたときの進行方向（図１（ｂ）の矢印Ａ方向）が鈎部１４（疑似餌１７）側となるように、鈎部１４に対する向きが設定されている。このため、ルアー本体２１と鈎部１４とが接近することで、ルアー本体２１が擬態する疑似魚が疑似餌１７を捕食するかの如く見せることができる。
【００２０】
なお、本実施の形態のルアー本体２１では、口を開けた態様で口部２１ｂが形成されている。口を閉じた態様としてもよいが、開けた態様とすることで、他の魚が餌を今にも食べようとする様が効果的に演出され、対象魚の競争心を好適に煽ることが期待される。
【００２１】
加えて、本実施の形態では、ルアー本体２１と鈎部１４（プラグ１８）との間において両者の接近を規制するものが設けられておらず、ルアー本体２１は鈎部１４に当接する位置まで接近可能となっている。これにより、ルアー本体２１と鈎部１４とを接近させた際、両者を合体させることができ、他の魚が餌を捕食する様子をリアルに再現することができる。
【００２２】
本実施の形態において、鈎部１４及びルアー部１５（ルアー本体２１）はいずれも中実状に形成されており、水に沈むように形成されている。但し、それらは形状及び比重が異なっており、沈みやすさが相違するものとなっている。詳しくは、鈎部１４の形状はルアー部１５よりも水中抵抗が高くなる形状をなし、また、鈎部１４の比重はルアー部１５のそれよりも十分に小さくなっている。これにより、水中において鈎部１４がルアー部１５よりも遅く沈み、鈎部１４の方がルアー部１５よりも沈降速度が低くなるようになっている。
【００２３】
次に、釣りを行う場合の釣り用仕掛け１０の動作について図２及び図３を参照しながら説明する。図２の（ａ）は着水時の状態を説明するための図、（ｂ）は着水後の水中での状態を説明するための図、図３は釣り糸を引いたときの水中での状態を説明するための図である。
【００２４】
釣りを行うにあたっては、連結金具１３を介して道糸１２に連結された釣り用仕掛け１０を、ロッドを用い、釣場となる川等に投げ入れる。この場合、投げ入れの直前においてはルアー部１５が自重で鈎部１４側に移動しているため、投げ入れ直後の着水時には、図２（ａ）に示すように、ルアー部１５及び鈎部１４が接近した状態となっている。
【００２５】
その後、図２（ｂ）に示すように、ルアー部１５と鈎部１４との両方が水中に沈むが、既に述べたように、ルアー部１５の方が鈎部１４よりも沈みやすくなっている。この際、ルアー部１５の貫通孔２２とハリス１１とはハリス１１の長さ方向への相対移動が可能となっているため、ルアー部１５は鈎部１４よりも水中を速く降下していく。その結果、ルアー部１５と鈎部１４との距離が広がり（ルアー部１５と鈎部１４との間のハリス１１の長さＬ（図１（ａ）参照）が長くなり）、両者が離間する。
【００２６】
ルアー部１５及び鈎部１４が離間した状態から、例えばロッドを起こすなどして道糸１２を引くと、図３（ａ）に示すように、水中におけるハリス１１の最下端位置が上昇し、これに伴ってルアー部１５が上昇する。この際、道糸１２の引き量を調整し、鈎部１４よりも上方となる位置までルアー部１５を上昇させる。
【００２７】
その際、ハリス１１には、ある程度の張力が付与されているため、図３（ｂ）に示すように、上昇したルアー部１５は、ハリス１１に沿って沈降し、鈎部１４に向けて移動する。その結果、ルアー部１５と鈎部１４との距離が縮まり（ルアー部１５と鈎部１４との間のハリス１１の長さＬが短くなり）、両者が接近する。なお、釣り用仕掛け１０においては、川等の流れを受けて下流側に流されているため、ルアー部１５の移動は、かかる流れによってもアシストされる。
【００２８】
さらに強く道糸１２を引いた場合は、道糸１２及びハリス１１を通じて鈎部１４がユーザ側に引き寄せられ、鈎部１４がルアー部１５に向けて移動する。その結果、ルアー部１５だけでなく、鈎部１４（餌）にも動きが付与され、ルアー部１５及び鈎部１４（疑似餌１７）の両方を生物らしく振る舞わせることができる。
【００２９】
なお、水中での使用時においてルアー部１５がハリス１１に引っかかったりすると、ルアー部１５の動きが阻害されるおそれがある。この点、本実施の形態では、ラインアイ（ハリス１１をルアー部１５に連結するための糸用連結部材）や鈎、フックアイ（鈎をルアー部１５に連結するための鈎用連結部材）をルアー部１５に備えない構成となっている。これにより、ハリス１１へのルアー部１５の引っ掛かりが抑制され、ルアー部１５を円滑に移動させることが可能になる。
【００３０】
最終的にルアー部１５及び鈎部１４は、両者が当接するまで接近し、これにより、魚（ルアー部１５が擬態する疑似魚）が餌（疑似餌１７）を捕食する動きが再現される。このような動きを水中に生息する魚Ｆが見ることで、他の魚に餌を取られてしまうと錯覚し、取られまいとして魚Ｆの捕食行動が活発化される。その結果、魚Ｆが疑似餌１７に食い付き、鈎部１４の鈎１６が魚Ｆの口内に突き刺さる。
【００３１】
１回の操作で魚Ｆが掛からなかった場合は、道糸１２を緩めて水中に繰り出すことで、再びルアー部１５を沈めることができる。これにより、ルアー部１５及び鈎部１４の接近状態（図３（ｂ））から離間状態（図２（ｂ））に復帰させることができる。すなわち、道糸１２の繰り出し及び引き操作を繰り返すことで、ルアー部１５と鈎部１４との接近及び離間を繰り返すことができる。このため、釣り用仕掛け１０を逐一水中から引き上げる必要がなく、水中に入れたままの状態で何度でもトライすることができる。
【００３２】
ちなみに、道糸１２を繰り出してルアー部１５及び鈎部１４を離間させる場合、鈎部１４から離れる方向へのルアー部１５の移動は、ルアー部１５が連結金具１３に当接することで規制される。すなわち、ルアー部１５と鈎部１４との最大距離は連結金具１３から鈎部１４（プラグ１８）までの距離となり、この距離が、ルアー部１５と鈎部１４とが接近する場合のルアー部１５の移動距離となる（厳密には、当該距離からルアー部１５の長さを差し引いたもの）。
【００３３】
ルアー部１５の移動距離は、魚が移動するように見える程度の長さがあれば足り、とくに限定されるものではないが、５０ｃｍ以上とすることが好ましく、１ｍ以上とすることがさらに好ましい。５０ｃｍ未満であると、ルアー部１５及び鈎部１４を接近させる場合のルアー部１５の移動が短時間で終了することから、魚が餌に向かって移動している感を演出しにくくなるほか、道糸１２の繰り出し及び引き操作を頻繁に繰り返す必要が生じ、煩わしさを招くおそれがある。なお、移動距離の上限は、釣場の水深や釣ろうとする魚の種類にもよるため一概にはいえないが、例えば、投げ入れ時等の扱いやすさを考慮した場合は、５ｍ以下とすることが好ましい。
【００３４】
一方、ルアー部１５及び鈎部１４を接近させる場合、鈎部１４に近づく方向へのルアー部１５の移動は、ルアー部１５が鈎部１４のプラグ１８に当接することで規制される。この場合、プラグ１８がルアー部１５の貫通孔２２内に入り込んで引っかかると、道糸１２を繰り出してもルアー部１５と鈎部１４とが離間しなくなるおそれがある。このため、プラグ１８の大きさ（幅方向寸法）を、貫通孔２２の前側開口部２２ａの大きさ（開口径）よりも大きくすることが好ましい。これにより、貫通孔２２へのプラグ１８の入り込みが抑制され、ルアー部１５及び鈎部１４を好適に離間させることが可能になる。
【００３５】
ところで、ルアー部１５にハリス１１を通していない状態で釣り用仕掛け１０が販売され、ハリス１１の通し作業をユーザが行う場合も想定される。この場合、ハリス１１を逆向きに挿通させると、ルアー部１５の尾部と鈎部１４とが向き合う形態となり、魚が餌を捕食する動きが適切に再現されなくなる。とくに、本実施の形態に係る釣り用仕掛け１０では、通常の仕掛けとはルアーの向きが逆となるため、このような間違いが生じやすい。
【００３６】
そこで、図１（ａ）に示すように、ルアー部１５において、ルアー部１５の向きやハリス１１の挿通方向を明示又は示唆する表示部２３を設けることが好ましい。本実施の形態の表示部２３は、一方向矢印と、ロッドを意味する「Ｌ」の文字とから構成され、ルアー部１５の尾部側をロッド側とすべきことを示すものとなっている。これにより、ルアー部１５の適切な向きをユーザが簡単に把握することができ、上記不都合の発生を好適に抑制可能となる。なお、矢印は省略してもよい。
【００３７】
上記実施の形態においては、ハリス１１を通す通し孔として貫通孔２２を備えるが、これに代えて、ルアー本体２１の前部及び後部のそれぞれにラインアイを設け、これら両ラインアイにハリス１１を通す構成としてもよい。
【００３８】
但し、通し孔として貫通孔２２を用いた場合は、ルアー部１５とハリス１１との絡まりを抑制できる利点があり、この点を踏まえると、上記実施の形態の構成とすることが好ましい。すなわち、ラインアイにハリス１１を通す構成の場合は、前後のラインアイ間に位置するハリス１１がルアー部１５の外側に露出するため、ハリス１１が弛んだ場合等に、ラインアイや鈎部１４の鈎１６がハリス１１に引っかかる可能性が高まる。これに対し、貫通孔２２にハリス１１を通す構成では、ラインアイを省略できることに加え、ハリス１１をルアー部１５内に収容することができ、ハリス１１への引っ掛かりが抑制される。とくに、図１（ｂ）に示すように、貫通孔２２をルアー部１５の前端部から後端部にかけて延ばした場合は、より広範にハリス１１を収容することができ、ハリス１１への引っ掛かりを好適に抑制可能となる。
【００３９】
さらに、本実施の形態の貫通孔２２では、その前側開口部（鈎部１４側に位置する開口部）２２ａが、ルアー本体２１の口部２１ｂにおいて開口する構成となっている。この場合、ルアー部１５と鈎部１４とを接近させた際に、口部２１ｂと疑似餌１７とが近づく形態となり、魚が餌を捕食する動きをより忠実に再現することが可能になる。
【００４０】
以上、詳述した本実施の形態によれば、以下の優れた効果が得られる。
【００４１】
・魚を模したルアー部１５と、疑似餌１７が取り付けられた鈎部１４とを備え、ルアー部１５とハリス１１とを相対移動可能とする一方、鈎部１４をハリス１１に固定し、且つ、頭部２１ｄが鈎部１４側に向くようにルアー部１５を配置する構成とした。この場合、ルアー部１５及び鈎部１４が離間する状態から両者を接近させることで、水中に生息する魚Ｆに対し、他の魚が餌を捕食するように錯覚させることができる。これにより、魚Ｆの捕食行動を活発化し、食いを促進することが可能になる。
【００４２】
・ルアー部１５を鈎部１４よりも水に沈みやすい構成とした。この場合、釣り用仕掛け１０を着水させた後、ルアー部１５と鈎部１４との沈降速度の違いを利用して両者の距離を広げることができる。このため、ユーザが特殊操作を行わなくても、ルアー部１５及び鈎部１４を自然と離間させることができ、離間状態への移行を簡単化することが可能になる。
【００４３】
なお、上記実施の形態においては、形状及び比重の両方を異ならせているが、それらの一方のみを異ならせる構成としてもよい。例えば、形状を等しくして比重のみを異ならせる構成としては、魚を模した疑似餌１７を用いる場合が想定される。つまり、ルアー部１５を肉食魚に擬態させ、疑似餌１７をその餌となる小魚に擬態させる場合である。
【００４４】
また、上記実施の形態においては、鈎部１４が水に沈む構成としたが、水面に浮く構成としてもよい。この場合でも、浮沈の違いを利用してルアー部１５及び鈎部１４間の距離を広げることができる。
【００４５】
＜第２の実施の形態＞
本実施の形態では、ルアー部及び鈎部における沈みやすさの関係が上記第１の実施の形態と異なっている。本実施の形態の釣り用仕掛け３０について図４を参照しながら説明する。図４の（ａ）は釣り用仕掛け３０の全体構成図、（ｂ）はルアー部３２の縦断面図である。なお、上記第１の実施の形態と同様の構成については、同一の符号を付し、その説明を省略する。
【００４６】
本実施の形態では、ルアー部３２が鈎部３１よりも沈みにくくなっている。具体的には、ルアー部３２は、水に浮くトップウォータタイプのルアーとなっており、例えば合成樹脂や木材等によって形成されている。ルアー部３２は、上記第１の実施の形態に係るルアー部１５と同様、貫通孔２２を有し、当該貫通孔２２にハリス１１が通されている（図４（ｂ）参照）。
【００４７】
一方、鈎部３１は、鈎１６や疑似餌１７のほか、錘３４を備えている。錘３４は、鈎部３１の全体重量を増大させて鈎部３１を水に沈みやすくするためのものであり、例えば鉛やタングステン等によって形成されている。なお、図４（ａ）に示す釣り用仕掛け３０では、錘３４をルアー部３２と疑似餌１７（プラグ１８）との間に配置しているが、疑似餌１７（プラグ１８）と鈎１６との間に配置したり、疑似餌１７又は鈎１６に設けたりしてもよい。
【００４８】
次に、釣りを行う場合の釣り用仕掛け３０の動作について図５を参照しながら説明する。図５の（ａ）は着水後の水中での状態を説明するための図、（ｂ）は釣り糸を引いたときの水中での状態を説明するための図である。なお、着水時の状態については上記第１の実施の形態（図２（ａ）参照）と同様であるため、図示及びその説明を省略する。
【００４９】
釣り用仕掛け３０を着水させると、図５（ａ）に示すように、ルアー部３２が水面に浮く一方、錘３４の作用により鈎部３１が水中に沈む。この際、ルアー部３２とハリス１１とは相対移動が可能であるため、鈎部３１だけが水中を降下していく。その結果、ルアー部３２と鈎部３１との距離が広がり、両者が離間する。
【００５０】
ルアー部３２と鈎部３１とが離間した状態から道糸１２を引くと、鈎部３１がユーザ側に引き寄せられ、図５（ｂ）に示すように、鈎部３１がルアー部３２に向けて移動する。これと同時に、ルアー部３２が川等の流れを受けて流され、水面上を鈎部３１側に向けて移動する。つまり、鈎部３１及びルアー部３２の両方がそれぞれ接近方向に移動し、両者が接近する。
【００５１】
最終的に鈎部３１及びルアー部３２は、ルアー部３２が錘３４に当接するまで接近し、これにより、魚（ルアー部３２が擬態する疑似魚）が餌（疑似餌１７）を捕食する動きが再現される。その結果、上記第１の実施の形態の場合と同様、水中に生息する魚の捕食行動が活発化され、疑似餌１７に魚が食い付く。なお、繰り出し及び引き操作の繰り返しにより、ルアー部１５と鈎部１４とを何度でも接近及び離間できる点については、上記第１の実施の形態と同様である。
【００５２】
このように本実施の形態においても、ルアー部３２と疑似餌１７とを接近及び離間させることができ、水中に生息する魚に対し、他の魚が餌を捕食するように錯覚させることができる。これにより、魚の捕食行動を活発化し、食いを促進することが可能になる。
【００５３】
＜第３の実施の形態＞
本実施の形態では、ルアー部がハリス１１に固定されている一方、鈎部とハリス１１とが相対移動可能となっている点で上記各実施の形態と異なっている。本実施の形態に係る釣り用仕掛け４０について図６を参照しながら説明する。図６の（ａ）は釣り用仕掛け４０の全体構成図、（ｂ）は鈎部４１の拡大図である。なお、上記各実施の形態と同様の構成については、同一の符号を付し、その説明を省略する。
【００５４】
図６（ａ）に示すように、本実施の形態に係る釣り用仕掛け４０では、連結金具１３とルアー部４２との間に鈎部４１が配置されている。すなわち、ルアー部４２がハリス１１の先端部１１ａに固定され、ルアー部４２よりもハリス１１の基端部１１ｂ側に鈎部４１が取り付けられている。
【００５５】
本実施の形態のルアー部４２は、貫通孔２２（図１（ｂ）参照）を備えておらず、頭部に設けられたラインアイ４２ａを介してハリス１１と連結されている。よって、ルアー部４２内をハリス１１が相対移動しない構成となっている。ルアー部４２の尾部にはフックアイ４２ｂを介して鈎４３が取り付けられている。
【００５６】
鈎部４１は、鈎１６及び疑似餌１７等を備えるほか、鈎部４１をハリス１１に取り付けるための取付具４４を備えている。取付具４４には、図６（ｂ）に示すように、第１貫通孔４５と第２貫通孔４６とが形成されている。第１貫通孔４５は、鈎１６及び疑似餌１７を取付具４４と連結するためのものであり、第２貫通孔４６は、ハリス１１を挿通するための通し孔である。なお、取付具４４は、例えばプラスチックやゴム等によって形成されている。
【００５７】
鈎部４１及びルアー部４２はいずれも水に沈む構成とされているが、鈎部４１よりもルアー部４２の方が水に沈みやすくなっている。このため、釣り用仕掛け４０を着水させた場合、ルアー部４２が鈎部４１よりも速く沈み、これによって両者の距離が広げられる。
【００５８】
釣り用仕掛け４０を川等の釣場に投げ入れた後、道糸１２を引いた場合には、図６（ａ）に示すように、ルアー部４２がユーザ側に引き寄せられ、鈎部４１に向けて移動する。これと同時に、鈎部４１が川等の流れを受けて流され、ルアー部４２側に向けて移動する。つまり、鈎部４１及びルアー部４２の両方がそれぞれ接近方向に移動し、両者が接近する。
【００５９】
このように本実施の形態においても、ルアー部４２と疑似餌１７とを接近及び離間させることができ、水中に生息する魚に対し、他の魚が餌を捕食するように錯覚させることができる。これにより、魚の捕食行動を活発化し、食いを促進することが可能になる。
【００６０】
ちなみに、第１及び第２の実施の形態に係る釣り用仕掛け１０，３０と、第３の実施の形態に係る釣り用仕掛け４０とを比較すると、第１及び第２の実施の形態の方がハリス１１の絡まりを抑制しやすいという違いがある。すなわち、第１及び第２の実施の形態では、ルアー部１５，３５においてラインアイ（突起物）や鈎を不要化できるため、投げ入れ時や水中において、それらがハリス１１に引っかかることが抑制される。これにより、ルアー部４２へのハリス１１の絡まりを抑制することができる。
【００６１】
また、第１の実施の形態と第２の実施の形態とを比較すると、第１の実施の形態の方がバラシ（掛かった魚を取り逃がしてしまう事象）の発生確率を低く抑えやすいという違いがある。すなわち、鈎１６に掛かった魚は、頭を左右に振って逃れようとするが、その際、鈎１６のチモト側に錘３４（重量物）が付与されていると、鈎１６に作用する慣性モーメントが大きくなり、口内から鈎１６が外れやすくなるおそれがある。この点、第１の実施の形態では、鈎部１４に錘を設けなくても済むか、錘を設けたとしても軽いもので足りるため、魚が頭を左右に振ったときの慣性モーメントを小さくすることができ、口内からの鈎１６の抜けを好適に抑制可能となる。
【００６２】
加えて、第１の実施の形態では、ルアー部１５及び鈎部１４を接近させる際、道糸１２の引き操作により上昇したルアー部１５が沈降することで、疑似餌１７へのルアー部１５の移動が果たされる。このため、ルアー部１５を簡単に移動させることができ、ルアー操作が容易となる。
【００６３】
＜その他の実施の形態＞
上記各実施の形態では、ルアー部１５，３５，４２が魚を模して形成されているが、イカ等の魚以外の水生動物を模したものとしてもよい。但し、イカが捕食動作を行う場合、頭部ではなく、足を餌に向けて移動するため、イカを模してルアー部１５，３５，４２を形成する場合は、足部が疑似餌１７側を向くようにルアー部１５，３５，４２を配置する。なお、釣りの対象についても魚に限定されるものではなく、イカ等の魚以外の水生動物であってもよい。
【００６４】
上記各実施の形態では、鈎部１４，３１，４１に疑似餌１７を取り付けたが、本物の餌（生餌等）を取り付けてもよい。この場合、第１及び第２の実施の形態では、疑似餌１７の省略に伴いプラグ１８も省略されるため、ルアー部１５，３５と鈎部１４，３１との接近時において、鈎１６の一部（チモト側の一部）が貫通孔２２に入り込み、接近状態から離間状態への移行が適切に行われなくなる懸念がある。そこで、鈎１６とルアー部１５，３５との間に、ルアー部１５，３５の鈎１６側への移動を規制する規制部材（プラグ１８の代替物）を配置し、且つ、その規制部材の大きさ（幅方向寸法）を貫通孔２２における頭部２１ｄ側の開口部の大きさ（開口径）よりも大きくするとよい。
【符号の説明】
【００６５】
１０，３０，４０…釣り用仕掛け、１１…ハリス（釣り糸）、１４，３１，４１…鈎部、１５，３２，４２…ルアー部、１７…疑似餌、２２…貫通孔（通し孔）。
【図１】
2019047734.tif 000003
【図２】
2019047734.tif 000004
【図３】
2019047734.tif 000005
【図４】
2019047734.tif 000006
【図５】
2019047734.tif 000007
【図６】
2019047734.tif 000008
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
水生動物を模したルアー部と、疑似餌が取り付けられた又は餌を取付可能な鈎部とが釣り糸に取り付けられてなる釣り用仕掛けであって、
前記ルアー部に、前記釣り糸を通すことが可能な通し孔が設けられているとともに、前記鈎部が前記釣り糸に固定されており、且つ、前記ルアー部が前記鈎部に対して前記釣り糸の長さ方向における基端側に配置されており、
前記釣り糸が前記通し孔に対し前記釣り糸の長さ方向へ相対移動することにより、前記ルアー部と前記鈎部との間の前記釣り糸の長さが変化するものであり、
前記ルアー部は、前記水生動物が捕食動作を行うときの進行方向が前記鈎部側となるように、前記鈎部に対する向きが設定されており、
前記通し孔は、前記ルアー部を当該ルアー部の長さ方向に貫通する貫通孔であり、
前記ルアー部は、前記疑似餌が取り付けられた前記鈎部と形状及び比重の少なくとも一方が異なることで、前記鈎部よりも水に沈みやすい構成となっていることを特徴とする釣り用仕掛け。
【請求項２】
水生動物を模したルアー部と、疑似餌が取り付けられた又は餌を取付可能な鈎部とが釣り糸に取り付けられてなる仕掛けを用いて行う釣り方法であって、
前記ルアー部に設けられた通し孔に前記釣り糸を通すことで、前記釣り糸を前記通し孔に対し前記釣り糸の長さ方向へ相対移動可能とし、且つ、前記水生動物が捕食動作を行うときの進行方向が前記鈎部側となるように、前記鈎部に対する前記ルアー部の向きを設定し、さらに、前記ルアー部を前記鈎部よりも水に沈みやすくし、且つ、前記ルアー部を前記鈎部に対して前記釣り糸の長さ方向における基端側に配置するように、前記仕掛けを構成し、
前記仕掛けを着水させて前記ルアー部及び前記鈎部を水中に位置させた後、前記釣り糸を引き上げることで、前記ルアー部を水中において上昇させることにより、前記釣り糸を前記通し孔に対し相対移動させ、前記ルアー部と前記鈎部との間の前記釣り糸の長さを短くさせて、前記ルアー部と前記鈎部とを接近させることを特徴とする釣り方法。
【手続補正２】
【補正対象書類名】明細書
【補正対象項目名】０００７
【補正方法】変更
【補正の内容】
【０００７】
上記目的を達成すべく、本発明者は、他の水生動物に先に餌を取られそうになると、それを阻止しようとして積極的に捕食する水生動物の習性に着眼し、単にルアーを餌に見せるだけの従来の仕掛けとは全く異なる発想により、本発明をなすに至った。すなわち、本発明の釣り用仕掛けは、
水生動物を模したルアー部と、疑似餌が取り付けられた又は餌を取付可能な鈎部とが釣り糸に取り付けられてなる釣り用仕掛けであって、
前記ルアー部に、前記釣り糸を通すことが可能な通し孔が設けられているとともに、前記鈎部が前記釣り糸に固定されており、且つ、前記ルアー部が前記鈎部に対して前記釣り糸の長さ方向における基端側に配置されており、
前記釣り糸が前記通し孔に対し前記釣り糸の長さ方向へ相対移動することにより、前記ルアー部と前記鈎部との間の前記釣り糸の長さが変化するものであり、
前記ルアー部は、前記水生動物が捕食動作を行うときの進行方向が前記鈎部側となるように、前記鈎部に対する向きが設定されており、
前記通し孔は、前記ルアー部を当該ルアー部の長さ方向に貫通する貫通孔であり、
前記ルアー部は、前記疑似餌が取り付けられた前記鈎部と形状及び比重の少なくとも一方が異なることで、前記鈎部よりも水に沈みやすい構成となっていることを特徴とする。
【手続補正３】
【補正対象書類名】明細書
【補正対象項目名】０００９
【補正方法】変更
【補正の内容】
【０００９】
また、本発明の釣り方法は、
水生動物を模したルアー部と、疑似餌が取り付けられた又は餌を取付可能な鈎部とが釣り糸に取り付けられてなる仕掛けを用いて行う釣り方法であって、
前記ルアー部に設けられた通し孔に前記釣り糸を通すことで、前記釣り糸を前記通し孔に対し前記釣り糸の長さ方向へ相対移動可能とし、且つ、前記水生動物が捕食動作を行うときの進行方向が前記鈎部側となるように、前記鈎部に対する前記ルアー部の向きを設定し、さらに、前記ルアー部を前記鈎部よりも水に沈みやすくし、且つ、前記ルアー部を前記鈎部に対して前記釣り糸の長さ方向における基端側に配置するように、前記仕掛けを構成し、
前記仕掛けを着水させて前記ルアー部及び前記鈎部を水中に位置させた後、前記釣り糸を引き上げることで、前記ルアー部を水中において上昇させることにより、前記釣り糸を前記通し孔に対し相対移動させ、前記ルアー部と前記鈎部との間の前記釣り糸の長さを短くさせて、前記ルアー部と前記鈎部とを接近させることを特徴とする。